(57)【要約】【課題】  コンパクトな設備を利用して短時間で高い品質の包装袋を製造する。【解決手段】  平面部として構成される帯状平面フィルム１を長手方向に搬送し、中央に折り線を有する側面部又は底面部として構成される二つ折り部材５を、帯状平面フィルムの長手方向の一定間隔毎に配置する包装袋の製造装置において、第二の帯状フィルム２から前記二つ折り部材を形成する二つ折り部材形成手段２０を設け、この二つ折り部材形成手段を、前記第二帯状フィルムの幅方向に延びる折り線を形成する折り線形成手段２３と、この折り線形成手段と前記フィルムロールの間に配置された切断する切断手段２６とで構成する。そして、前記折り線形成手段を、第二帯状フィルムの一面側に配置され、被挿入スリットを構成するガイド部２４と、前記第二帯状フィルムの他面側にて、前記被挿入スリットに対して抜き差しされるよう往復動する押し込み部２５で構成する。【選択図】      図１
2005271462.tif 000002
【特許請求の範囲】
【請求項１】
包装袋の対向する平面部として構成される帯状平面フィルムをその長手方向に搬送する帯状平面フィルム搬送手段と、
中央が折り線により包装袋の内方に向けて折り込み可能な側面部又は底面部として構成される二つ折り部材を、前記帯状平面フィルムの前記長手方向の一定間隔毎に配置する二つ折り部材配置手段とを備えた包装袋の製造装置において、
送り手段によりフィルムロールから送り出された前記第二帯状フィルムから前記二つ折り部材を形成せしめる二つ折り部材形成手段を設け、
この二つ折り部材形成手段を、前記第二帯状フィルムに対してその幅方向に延びる前記折り線を順次形成する折り線形成手段と、この折り線形成手段と前記フィルムロールの間に配置され、前記第二帯状フィルムを前記折り線と平行に切断する切断手段とで構成し、
しかも、前記折り線形成手段を、送り出された前記第二帯状フィルムの一面側に配置され、前記第二帯状フィルムの幅方向に延びる被挿入スリットを構成するガイド部と、前記第二帯状フィルムの他面側にて、前被挿入スリットに対応する位置に配置され、前記被挿入スリットに対して抜き差しされるよう往復動する押し込みプレートにより構成したことを特徴とする包装袋の製造装置。
【請求項２】
前記送り手段及び前記二つ折り部材形成手段は、前記帯状平面フィルムの幅方向に関し、前記二つ折り部材を帯状平面フィルムに配置させようとする幅方向の所定位置に対応する位置に設けられていることを特徴とする請求項１に記載の包装袋の製造装置。
【請求項３】
前記二つ折り部材形成手段を前記帯状平面フィルムの搬送方向の異なる２ヶ所に配置させると共に、前記二つ折り部材配置手段を各二つ折り部材形成手段の配置された位置に対応させてそれぞれ設け、
二つの前記二つ折り部材形成手段は、前記二つ折り部材の折り込み方向が前記搬送方向に関して逆向きとなるよう、前記ガイド部と前記押し込みプレートの配置位置が前記搬送方向に関して互い逆側となるように前記第二帯状フィルムを間に挟んで配置させ、
前記二つ折り部材配置手段は、前記二つ折り部材の開かれた部分を互いに向かい合わせて、これら二つ折り部材の前記折り線の延びる方向を前記帯状平面フィルムの幅方向に一致させて配置させることを特徴とする請求項２に記載の包装袋の製造装置。
【請求項４】
前記二つ折り部材をこれらが配置された前記帯状平面フィルムに対して押圧せしめて局部的にシールするポイントシール手段を備えたことを特徴とする請求項３に記載の包装袋の製造装置。
【請求項５】
中央が折り線により包装袋の内方に向けて折り込み可能な側面部又は底面部として構成される二つ折り部材を、長手方向に搬送され、平面部として構成される帯状平面フィルムの前記長手方向における一定の間隔毎に配置する工程を備えた包装袋の製造方法において、
前記二つ折り部材として構成される第二帯状フィルムをフィルムロールから前記帯状平面フィルムに向けて送り出し、
送り出された前記第二帯状フィルムを、その先端から前記フィルムロール側の所定の位置で、一面側から前記第二帯状フィルムの幅方向に延びる平板状の押し込みプレートで、他面側に設けられ、前記第二帯状フィルムの幅方向に延びる被挿入スリットの設けられたガイド部の前記被挿入スリットの内部に向けて押し込み、
次いで、前記第二帯状フィルムについて、その先端と、前記押し込みプレートが押し当てられて前記折り線の形成される位置との間に対応する長さ分だけ前記折り線として形成される位置より前記フィルムロール側の位置を幅方向に切断して前記二つ折り部材を形成することを特徴とする包装袋の製造方法。
【請求項６】
前記第二帯状フィルムは、前記帯状平面フィルムの幅方向に関し、前記二つ折り部材を帯状平面フィルムにおける配置させようとする幅方向の所定位置に対応する位置にて送り出されることを特徴とする請求項５に記載の包装袋の製造方法。
【請求項７】
前記第二帯状フィルムのフィルムロールを前記帯状平面フィルムの搬送方向の異なる２ヶ所に配置させて、前記ガイド部と前記押し込みプレートの配置位置が前記搬送方向に関して互い逆側となるように前記第二帯状フィルムを間に挟んで配置させて、各二つ折り部材の折り込み方向が前記搬送方向に関して逆向きとなるように折り込み、
まず、前記搬送方向の上流側にて形成された前記二つ折り部材をその折り線が前記帯状平面フィルムの幅方向に一致させてこの帯状平面フィルムに配置し、
次いで、前記搬送方向の下流側にて形成された前記二つ折り部材を、その開かれた部分が、上流側で配置され前記二つ折り部材の開かれた部分と対向されるようにして前記帯状平面フィルムに配置させることを特徴とする請求項６に記載の包装袋の製造方法。
【請求項８】
前記二つ折り部材が前記帯状平面フィルムに配置される毎に、前記二つ折り部材を前記帯状平面フィルムに対して局部的に順次シールするポイントシール工程を備えたことを特徴とする請求項７に記載の包装袋の製造方法。
【請求項９】
中央が折り線により包装袋の内方に向けて折り込み可能な側面部又は底面部として構成される折り込み部材を、長手方向に搬送され、平面部として構成される帯状平面フィルムの前記長手方向における一定の間隔毎に配置する工程を備えた包装袋の製造方法において、
前記折り込み部材は、フィルム材の両側が中心に向けて折り込まれ、折り込まれた後の両側部に折り線が形成された三つ折り部材が使用され、
この三つ折り部材を、前記折り線の延びる方向を前記帯状平面フィルムの幅方向に一致させて前記帯状平面フィルムに配置する工程と、
前記三つ折り部材が間に挟み込まれるように、前記帯状平面フィルムとは別の帯状平面フィルムを重ね合わせてこれらを相互に貼り合わせる工程と、
その後に、前記三つ折り部材の中央部分で一対の前記帯状平面フィルム及び前記三つ折り部材を帯状平面フィルムの長手方向に関して分離されるように切断する工程と、を備えたことを特徴とする包装袋の製造方法。
【発明の詳細な説明】
【技術分野】
【０００１】
本発明は、帯状のフィルム材を利用して包装袋を製造する包装袋の製造装置及び製造方法に関する。
【背景技術】
【０００２】
包装袋にはガゼット袋等のように、包装袋を構成する部材が折り線により包装袋の内方に向けて折り込み可能とされるものがある。例えば、図５に示すフラットボトムタイプのガゼット袋、図６に示す様に、箱の内部に収納されるバッグインボックス用の内袋、並びに図７に示すような、スクリューキャップでストローの口を開閉させるスパウト付きパウチ等がその代表的な包装袋である。これらの包装袋は、対向する一対の平面部、これら平面部の側縁同士を繋ぎ合わせるように構成された対向する一対の側面部を備えている。側面部には、その中心に折り線が形成され、側面部はこの折り線により包装袋の内方に向けて折り込み可能となっている。
【０００３】
また、図５に示すフラットボトムタイプのガゼット袋については、その底面部を形成するにあたり、矩形状のフィルム材を二つ折りに折り込んだ部材を使用するものもある。
【０００４】
このような包装袋を製造する場合、平面部の一方として構成される帯状平面フィルム材をその長手方向に搬送させ、その長手方向の所定間隔毎に側面部や底面部として構成される、折り線の形成された部材を配置している。
【０００５】
従来、折り線の形成された部材を形成する工程、折り線の形成された部材を配置する工程は、特許文献１に示す手法が主として採用されていた。この特許文献１に示された手法は、側面部として構成される部材を帯状平面フィルムとは別個の帯状フィルムで形成させる。折り線は、帯状フィルムの両側部を幅方向の中心に向けて折り畳むことで形成させている。その後、折り畳まれた帯状フィルムをその長手方向に関し、帯状平面フィルムの幅より短い寸法に切断し、これらを帯状平面フィルムの側方から半周させて帯状平面フィルムの長手方向の一定間隔毎に載置していた。
【０００６】
他方、底面部は、特許文献１の図８に示すように、平面部として構成される帯状フィルムの他に、底面部として構成される帯状フィルムを別途用意している。そして、平面部として構成される帯状フィルムの側縁に開き面を形成し、底面部として構成される帯状フィルムをこの開き面に向けて送り出し、両者をその長手方向に連続的に貼り合わせていた。
【０００７】
【特許文献１】特開２０００−２５４９８４号公報
【発明の開示】
【発明が解決しようとする課題】
【０００８】
しかしながら、特許文献１に開示された手法は、帯状フィルムをその長手方向に関して所定の長さ毎に切断して折り線を有する部材を形成させているため、一つひとつの部材を形成させるまでにかなりの長さを必要とする。このため、長手方向に搬送されている帯状平面フィルムの側方には、広いスペースを必要とする。
【０００９】
また、折り線の形成された部材を形成するに当たり、帯状フィルムを折り線を有する個々の部材の長さ分だけ送らなければ切断できないため、ある程度の送り時間が必要となる。このため、折り線を有する部材を帯状平面フィルムに載置する時間の間隔が大きくなり、全体の製袋時間を長くする原因となっていた。
【００１０】
さらに、折り線を有する部材を帯状平面フィルムの側方から搬入する形態であるため、帯状平面フィルムの幅方向に関して位置合わせすることが比較的困難で、載置させる位置にずれが生じることもある。
【００１１】
その一方で、底面を形成するに当たり、帯状の底面フィルムを別途用意し、これを平面部として構成される帯状平面フィルムの長手方向に連続して貼り合わせている（特許文献１の図８参照）。このように、帯状のフィルムをその長手方向に連続して貼り合わせる工程を実施すると、両者の長手方向によるズレによる誤差が次第に累積される。両者に印刷された図柄を一致させなければならない包装袋にとって、この累積されたズレによる誤差は、看過できない品質上の問題である。
【００１２】
そこで、本発明では、設備をコンパクトに設定できるだけでなく、側面部や底面部として構成される折り線を備えた部材を短時間でズレを生じることなく載置させることが可能な包装袋の製造装置及び包装袋の製造方法を提供する。
【課題を解決するための手段】
【００１３】
本発明では上記課題を解決するために、包装袋の対向する平面部として構成される帯状平面フィルムをその長手方向に搬送する帯状平面フィルム搬送手段と、中央が折り線により包装袋の内方に向けて折り込み可能な側面部又は底面部として構成される二つ折り部材を、前記帯状平面フィルムの前記長手方向の一定間隔毎に配置する二つ折り部材配置手段とを備えた包装袋の製造装置において、送り手段によりフィルムロールから送り出された前記第二帯状フィルムから前記二つ折り部材を形成せしめる二つ折り部材形成手段を設け、この二つ折り部材形成手段を、前記第二帯状フィルムに対してその幅方向に延びる前記折り線を順次形成する折り線形成手段と、この折り線形成手段と前記フィルムロールの間に配置され、前記第二帯状フィルムを前記折り線と平行に切断する切断手段とで構成し、しかも、前記折り線形成手段を、送り出された前記第二帯状フィルムの一面側に配置され、前記第二帯状フィルムの幅方向に延びる被挿入スリットを構成するガイド部と、前記第二帯状フィルムの他面側にて、前記被挿入スリットに対応する位置に配置され、前記被挿入スリットに対して抜き差しされるよう往復動する押し込みプレートにより構成した包装袋の製造装置を採用した。
【００１４】
また、本発明では、上記の包装袋の製造装置に関し、前記送り手段及び前記二つ折り部材形成手段は、前記帯状平面フィルムの幅方向に関し、前記二つ折り部材を帯状平面フィルムに配置させようとする幅方向の所定位置に対応する位置に設けられている。
【００１５】
また、本発明では、前記二つ折り部材形成手段を前記帯状平面フィルムの搬送方向の異なる２ヶ所に配置させると共に、前記二つ折り部材配置手段を各二つ折り部材形成手段の配置された位置に対応させてそれぞれ設け、二つの前記二つ折り部材形成手段は、前記二つ折り部材の折り込み方向が前記搬送方向に関して逆向きとなるよう、前記ガイド部と前記押し込みプレートの配置位置が前記搬送方向に関して互い逆側となるように前記第二帯状フィルムを間に挟んで配置させ、前記二つ折り部材配置手段は、前記二つ折り部材の開かれた部分を互いに向かい合わせて、これら二つ折り部材の前記折り線の延びる方向を前記帯状平面フィルムの幅方向に一致させて配置させることを特徴としている。
【００１６】
そして、本発明では上記包装袋の製造装置において、前記二つ折り部材をこれらが配置された前記帯状平面フィルムに対して押圧せしめて局部的にシールするポイントシール手段を備えたことを特徴とする。
【００１７】
一方、本発明では上記課題を解決するために、中央が折り線により包装袋の内方に向けて折り込み可能な側面部又は底面部として構成される二つ折り部材を、長手方向に搬送され、平面部として構成される帯状平面フィルムの前記長手方向における一定の間隔毎に配置する工程を備えた包装袋の製造方法において、前記二つ折り部材として構成される第二帯状フィルムをフィルムロールから前記帯状平面フィルムに向けて送り出し、送り出された前記第二帯状フィルムを、その先端から前記フィルムロール側の所定の位置で、一面側から前記第二帯状フィルムの幅方向に延びる平板状の押し込みプレートで、他面側に設けられ、前記第二帯状フィルムの幅方向に延びる被挿入スリットの設けられたガイド部の前記被挿入スリットの内部に向けて押し込み、次いで、前記第二帯状フィルムについて、その先端と、前記押し込みプレートが押し当てられて前記折り線の形成される位置との間に対応する長さ分だけ前記折り線として形成される位置より前記フィルムロール側の位置を幅方向に切断して前記二つ折り部材を形成する包装袋の製造方法を採用した。
【００１８】
また、上記包装袋の製造装置に関し、本発明では、前記第二帯状フィルムは、前記帯状平面フィルムの幅方向に関し、前記二つ折り部材を帯状平面フィルムにおける配置させようとする幅方向の所定位置に対応する位置にて送り出されることを特徴とする。
【００１９】
さらに、本発明では上記の包装袋の製造方法について、前記第二帯状フィルムのフィルムロールを前記帯状平面フィルムの搬送方向の異なる２ヶ所に配置させて、前記ガイド部と前記押し込みプレートの配置位置が前記搬送方向に関して互い逆側となるように前記第二帯状フィルムを間に挟んで配置させて、各二つ折り部材の折り込み方向が前記搬送方向に関して逆向きとなるように折り込み、まず、前記搬送方向の上流側にて形成された前記二つ折り部材をその折り線が前記帯状平面フィルムの幅方向に一致させてこの帯状平面フィルムに配置し、次いで、前記搬送方向の下流側にて形成された前記二つ折り部材を、その開かれた部分が、上流側で配置され前記二つ折り部材の開かれた部分と対向されるようにして前記帯状平面フィルムに配置させるようにしている。
【００２０】
そして、本発明では上記包装袋の製造方法について、前記二つ折り部材が前記帯状平面フィルムに配置される毎に、前記二つ折り部材を前記帯状平面フィルムに対して局部的に順次シールするポイントシール工程を備えたことを特徴としている。
【００２１】
さらに、本発明では、中央が折り線により包装袋の内方に向けて折り込み可能な側面部又は底面部として構成される折り込み部材を、長手方向に搬送され、平面部として構成される帯状平面フィルムの前記長手方向における一定の間隔毎に配置する工程を備えた包装袋の製造方法において、前記折り込み部材は、フィルム材の両側が中心に向けて折り込まれ、折り込まれた後の両側部に折り線が形成された三つ折り部材が使用され、この三つ折り部材を、前記折り線の延びる方向を前記帯状平面フィルムの幅方向に一致させて前記帯状平面フィルムに配置する工程と、前記三つ折り部材が間に挟み込まれるように、前記帯状平面フィルムとは別の帯状平面フィルムを重ね合わせてこれらを相互に貼り合わせる工程と、その後に、前記三つ折り部材の中央部分で一対の前記帯状平面フィルム及び前記三つ折り部材を帯状平面フィルムの長手方向に関して分離されるように切断する工程とを備えた包装袋の製造方法を採用した。
【発明の効果】
【００２２】
本発明によれば、第一に、搬送される帯状平面フィルムの側方に二つ折り部材を形成させる大がかりなユニットを設ける必要ないため、製造装置をコンパクトに構成できる。
【００２３】
第二に、二つ折り部材を形成するに当たり、個々の二つ折り部材の長さに対応する寸法分だけ帯状フィルムを送って切断する従来の手法と異なり、個々の二つ折り部材の幅に対応する寸法分だけ帯状フィルムを送ればよいので、一つひとつの二つ折り部材を短時間で形成できる。このため、包装袋の全体の製造時間を短縮させる。
【００２４】
第三に、個々の二つ折り部材を帯状平面フィルムの幅方向に関して予め設定した位置にずれを生じさせずに正確に配置させることができる。このため、良好な品質の包装袋を形成できる。
【発明を実施するための最良の形態】
【００２５】
以下、本発明の実施の形態について図面を参照しながら説明する。
【００２６】
先ず、図５〜図７を参照して、包装袋の製造装置及び製造方法が主として対象としている包装袋の態様を説明する。
【００２７】
図５に示す包装袋は、対向する一対の平面部４１と、これら平面部４１の側面同士を繋いでいる対向する一対の側面部４２とから構成される袋本体部４０ａを備え、この袋本体４０ａの一方の開口部分が矩形状の底面部４４により閉鎖されたフラットボトムタイプのガゼット袋４０である。
【００２８】
このガゼット袋４０の平面部４１は、平坦なフィルム材で形成されている一方で、側面部４２はガゼット袋の厚み方向の中央に上下に延びる折り線４３が形成されている。側面部４２に形成された折り線４３は、側面部４２を当該折り線４３により、ガゼット袋４０の内方に向けて折り込み可能としている。
【００２９】
図６に示す包装袋は、ボックスの内部に収納される、いわゆるバッグインボックス用の内袋５０である。この内袋５０は、対向する一対の平面部５１と、これら平面部５１の間に介在して、平面部５１の側縁同士を繋いでいる一対の側面部５２とから構成されている。この内袋５０は、平面部５１及び側面部５２により両端の開口された袋本体５０ａを形成し、開口された各端部について、平面部５１の端縁と側面部５２の端縁とを相互に貼り合わせることで開口部を密閉させている。なお、一方の平面部５１には注出口５４が設けられ、図示しないボックスの内部に収容された後に、内容物をこの注出口５４から注出させることができるよう構成されている。
【００３０】
この内袋についても、側面部５２には、内袋５０の厚み方向の中央に上下に延びる折り線５３が形成されており、側面部５２が内袋５０の内方に折り込み可能に構成されている。
【００３１】
図７に示す包装袋は、その上部に内容物を注出させるスパウト６４が取り付けられたスパウト付きパウチ６０である。このスパウト付きパウチ６０も、対向する一対の平面部６１と、これら平面部６１の間に介在し、平面部６１の側縁同士を繋いでいる側面部６２とから構成されている。底部は、平面部６１の端縁及び側面部６２の端縁が相互に貼り合わされて密閉されている一方で、上部は幅方向の中央にスパウト６４が平面部６１に挟み込まれるようにして取り付けられている。
【００３２】
このスパウト付きパウチ６０の側面部６２も袋の幅方向の中央に上下に延びる折り線６３が形成されており、側面部６２はこの折り線６３により袋の内方に折り込み可能に構成されている。
【００３３】
本実施形態では、このような包装袋を以下に説明する製造装置及び製造方法で形成する。
【００３４】
図１は本発明の一実施形態にかかる包装袋の製造装置を示している。この製造装置は、平面部として構成される帯状平面フィルム１がその長手方向に搬送される搬送路Ａ，Ｂが２つ設けられている。これらの搬送路Ａ，Ｂは、帯状平面フィルム１が上下に対向するように、配置されている。各搬送路Ａ，Ｂには、帯状平面フィルム１をその長手方向に搬送する搬送手段としての搬送ローラ１０が適宜設けられている。これら搬送ローラ１０は、帯状平面フィルム１を間欠的に搬送させる。
【００３５】
上部搬送路Ａは、上方に向けて凸状となる大きなコの字を描くように、帯状平面フィルム１を搬送させている。一方、下部搬送路Ｂは、上部搬送路Ａの下方にて、上側に向けて凸状となるよう小さなコの字を描くように帯状平面フィルム１をその長手方向に搬送させている。なお、上部搬送路Ａにより搬送されている帯状平面フィルム１及び下部搬送路Ｂにより搬送されている帯状平面フィルム１は、双方共にこの図１の右から左に向けて搬送されている。
【００３６】
これら上部搬送路Ａ及び下部搬送路Ｂの間に形成された空間には、ガゼット袋の側面部として構成される二つ折り部材５を形成する二つ折り部材形成装置２０が設けられている。二つ折り部材形成装置２０は、帯状平面フィルム１の搬送方向における２ヶ所に設けられており、一方は、下部搬送路Ｂにおいて、帯状平面フィルム１が上昇する部分Ｂ１とその後に水平に搬送される部分Ｂ２との境界部分に設けられ、他方は、帯状平面フィルム１が水平に搬送される部分Ｂ２とその後に降下する部分Ｂ３との境界部分に設けられている。
【００３７】
さらに、この包装袋の製造装置は、帯状平面フィルム１に二つ折り部材５を配置した後に、二つ折り部材５を帯状平面フィルム１に対して局部的にシールするポイントシール装置３０が設けられている。
【００３８】
二つ折り部材形成装置２０は、帯状平面フィルム１とは別個の第二帯状フィルム２がロール状に巻き取られたフィルムロール３を有し、複数のローラ２２からなる送り出し装置２１がこのフィルムロール３から第二帯状フィルム２を下部搬送路Ｂに向けて送り出している。さらに、この二つ折り部材形成装置２０は、第二帯状フィルム２に対してその幅方向に延びる折り線６を順次形成する折り線形成ユニット２３と、この折り線形成ユニット２３とフィルムロール３の間に配置されて、第二帯状フィルム２を形成された折り線６と平行に切断する切断カッター２６とを備えている。
【００３９】
これらフィルムロール３及び二つ折り部材形成装置２０は、下部搬送路Ｂを搬送されている帯状平面フィルム１の幅方向に関し、帯状平面フィルム１の中央の所定の範囲を占める位置に設けられている。
【００４０】
折り線形成ユニット２３は、図２に詳細を示すように、第二帯状フィルム２の一面側に配されたガイド部２４と、第二帯状フィルム２の他面側に配置され、ガイド部２４に向けて第二帯状フィルム２を挿入させる押し込み部２５とから構成されている。ガイド部２４は２枚のブロック材２４ａ，２４ａが上下に配されて、水平方向に平行をなして配置されている。これらブロック材２４ａ，２４ａ同士の間に形成された隙間は、第二帯状フィルム２が挿入される被挿入スリット２４ｂであり、第二帯状フィルム２の幅方向に延びている。一方、押し込み部２５は、第二帯状フィルム２を間に挟んでガイド部２４と対向する位置に設けられている。この押し込み部２５は、先端側が第二帯状フィルム２に向けられられた水平に延びる板状の押し込みプレート２５ａと、この押し込みプレート２５ａの後部を保持するホルダ２５ｂとから構成されている。押し込み部２５は、前後に往復動するよう構成され、第二帯状フィルム２を被挿入スリット２４ｂに挿入させるようにして、押し込みプレート２５ａがガイド部２４の被挿入スリット２４ｂに対して抜き差しされる。
【００４１】
切断カッター２６は、フィルムロール３と、折り線形成ユニット２３との間であって、当該折り線形成ユニット２３のやや上側に設けられており、第二帯状フィルム２を所定の長さに順次切断する。切断カッター２６は、第二帯状フィルム２に対して押し込み部２５と同じ側に設けられたカッター刃２７と、ガイド部２４と同じ側に配されてカッター刃２７の先端が突き当てられる当てブロック２８とから構成されている。
【００４２】
このように構成された二つ折り部材形成装置２０は、図３に示す手順でフィルムロール３から送り出された第二帯状フィルム２から二つ折り部材５を形成している。
【００４３】
まず、図３（ａ）に示すように、第二帯状フィルムの先端２ａと、押し込み部２５を構成する押し込みプレート２５ａの先端に対応する位置との間の寸法が、形成しようとする二つ折り部材５の二つ折りされた状態の幅の寸法と一致されるまで当該第二帯状フィルム２をフィルムロール３から送り出す。
【００４４】
次いで、送り出された第二帯状フィルム２に向けて押し込み部２５を前進させて、押し込みプレート２５ａの先端で第二帯状部材に突き当て、ガイド部２４の被挿入スリット２４ｂに向けて第二帯状フィルム２を挿入させる。押し込みプレート２５ａの先端が突き当てられた位置が、後に、二つ折り部材５の折り線６として形成される。
【００４５】
その後、図３（ｂ）に示すように、押し込みプレート２５ａが被挿入スリット２４ｂの内部に挿入されて、第二帯状フィルム２が折れ曲がった時点で、切断カッター２６で第二帯状フィルム２の折り線形成ユニット２３よりやや上の位置を切断する。なお、この装置では、押し込みプレート２５ａの先端に対応する位置を境に、第二帯状フィルム２の先端２ａまでの寸法と同寸の位置が切断カッター２６により切断されるように制御されている。これにより、形成された二つ折り部材５は、折り線６を境にその幅方向の寸法が対象となるように形成される。
【００４６】
切断後、図３（ｃ）に示すように、押し込みプレート２５ａを更に被挿入スリット２４ｂの奥まで挿入させる。これにより、切断された第二帯状フィルム２は、ガイド部２４と押し込み部２５とに拘束されて押し込みプレート２５ａを間に挟み込む態様で二つに折り畳まれて二つ折り部材５が形成される。
【００４７】
その後、図３（ｄ）に示すように押し込みプレート２５ａを更に前進させ、二つ折り部材５をガイド部２４の逆側の開口部から完全に表出させる。そして、図示しない、二つ折り部材の配置装置で、二つ折り部材５を帯状平面フィルム１に配置させる。二つ折り部材５は、その中心に形成された折り線６が帯状平面フィルム１の幅方向に一致され、而も帯状平面フィルム１の幅方向において、予め設定した位置であるほぼ中央に配される。
【００４８】
この二つの位置に設けられた二つ折り部材形成装置２０を構成している各構成部品は、上流側のものと下流側のものとが、帯状平面フィルム１の搬送方向に関して、第二帯状フィルム２を境とする配置関係が逆側となっている。上流側の折り線形成ユニット２３では、カッター刃２７及び押し込み部２５が第二帯状フィルム２より上流側に配されている一方で、当てブロック２８及びガイド部２４が下流側に配されている。これに対し、下流側に設けられた折り線形成ユニット２３では、カッター刃２７及び押し込み部２５が第二帯状フィルム２より下流側に配されている一方で、当てブロック２８及びガイド部２４が上流側に配されている。このため、形成された二つ折り部材５は、凸状に形成された経路の頂上部分である、水平に帯状平面フィルム１を搬送させている部分Ｂ２に円滑に配置される。
【００４９】
上述したように、二つ折り部材５の原材料となる第二帯状フィルム２のフィルムロール３、折り線形成ユニット２３、切断カッター２６、及び形成された二つ折り部材５を帯状平面フィルム１に配置させる配置装置（不図示）は、下部搬送路Ｂを搬送される帯状平面フィルム１の幅方向に予め設定した部位に設置されている。即ち、形成された二つ折り部材５は、帯状平面フィルム１の幅方向の両側部分に一定の残部区間が形成されるように、幅方向における中央の所定の領域に配置される。そして、これらの装置は、二つ折り部材５が配置される領域に対応する様に配置される。このため、配置の際に特別な位置合わせを行うことなく正確に二つ折り部材５を所望の位置に配置できる。
【００５０】
なお、二つ折り部材５の帯状平面フィルム１への配置と、以下に説明する局部的なシールとは一連の工程で行われる。この工程の間、帯状平面フィルム１は一時的に搬送が停止される。
【００５１】
一方、この包装袋の製造装置が備えるポイントシール装置３０は、水平に帯状平面フィルム１を搬送させている部分の前部と後部の２ヶ所に設けられている。前部に設けられたポイントシール装置３０は、上流側の二つ折り部材形成装置２０で形成された二つ折り部材５をシールするものであり、後部に設けられたポイントシール装置３０は、下流側に設けられた二つ折り部材形成装置２０で形成された二つ折り部材５をシールするものである。
【００５２】
各ポイントシール装置３０は、下部搬送路Ｂの上方に配されたシールバー３１を備えている。このシールバー３１は下部搬送路Ｂの上方で上下に往復動するよう構成されており、降下した際にその下端が二つ折り部材５を帯状平面フィルム１に向けて押圧する。このポイントシール装置３０では、二つのシールバー３１が帯状平面フィルム１の幅方向に関し、二つ折り部材５の両端部に対応する位置に並列をなして配置されており、二つ折り部材５の長手方向の両端部を局部的にシールする。
【００５３】
この際、シールバー３１は、二つ折り部材５を折り畳まれた状態の上面から押圧して、二つ折り部材５の下面と帯状平面フィルム１の上面とをシールする。なお、二つ折り部材５の折り込みの内面には、耐熱性を有する非融着層が形成されており、シールバー３１により二つ折り部材５が加熱されても、内面同士が融着されることはない。
【００５４】
以上の構成を有する包装袋の製造装置では、図４に示す手順で二つ折り部材５の配置とシールが繰り返される。
【００５５】
先ず、上流側の二つ折り部材形成装置２０で形成された二つ折り部材５が帯状平面フィルム１の幅方向の中央の領域に配置される（Ｓ１）。この際、二つ折り部材５は、折り線６が下流側に向けられる。次いで、二つ折り部材５の長手方向の両端が帯状フィルムに局部的にシールされる（Ｓ２）。この工程が終了するまでの間、帯状平面フィルム１の搬送は一時的に停止される。そして、帯状平面フィルム１の搬送が再開され、上流側で配置された二つ折り部材５は、下流側の二つ折り部材形成装置２０の設けられた位置まで搬送される。その後、再び帯状平面フィルム１の搬送が一時的に停止される。
【００５６】
搬送が停止された後、下流側の二つ折り部材形成装置２０で形成された二つ折り部材５が帯状平面フィルム１に配置される（Ｓ３）。この下流側で配置される二つ折り部材５は、その折り線６が上流側に向けられ、上流側で既に配置された二つ折り部材５の開口側と、この下流側で配置される二つ折り部材５の開口側とが互いに対向するよう背合わせに配置される。その後、下流側で配置された二つ折り部材５の長手方向の両端部が局部的にシールされる（Ｓ４）。
【００５７】
なお、図１２における三つ折り部材の内面の局部的にシールする方法としては、ヒートシールによる方法の他、ホットメルト、パートコート、あるいは、テープ（粘着式、ヒートシール式のいずれでもよい）による方法で局部的にシールしてもよい。このようなホットメルトやパートコート等による局部シールは、三つ折り部材の内面同士のめくれ防止のための行われる。このため、三つ折り部材が帯状平面フィルムと完全にシールされた後は、当該局部シールの部分は、切除される。
【００５８】
このような工程を経た後、上部搬送路Ａを搬送されてきた帯状平面フィルム１が、下部搬送路Ｂを搬送され、二つ折り部材５の配置された帯状平面フィルム１に重ね合わされる。その後、各帯状平面フィルム１と二つ折り部材５とが互いにシールされて袋本体部の列が形成される。そして、袋本体部同士の境界部を切断することで、帯状平面フィルム１が包装袋の平面部として構成されると共に、二つ折り部材５が側面部として構成される。このようにして形成された袋本体部を利用して、上述したように、図５〜図７に示す種々の包装袋を形成する。なお、この製造装置及び製造方法により形成させた二つ折り部材５は、図５に示すガゼット袋４０の側面部４２、図６に示す内袋５０の側面部５２、又は、図７に示すスパウト付きパウチ６０の側面部６２として構成される。また、折り線６は、図５〜図７に示す各包装袋の側面部４２，５２，６２の折り線４３，５３，６３をそれぞれ構成する。
【００５９】
以上、二つ折り部材を包装袋の側面部として構成する場合を例に説明したが、これに限定されるものではない。例えば、フラットボトムタイプのガゼット袋やスタンディングパウチを製造する場合等に、当該二つ折り部材を包装袋の底面部として利用することもできる。
【００６０】
図８〜図１１は、スタンディングパウチ１００を製造する一実施形態を示している。
【００６１】
この実施形態では、帯状平面フィルム７０の幅方向に複数のスタンディングパウチ１００を形成する、いわゆる複数取りする製法である。図８に示す製造装置も、帯状平面フィルム７０がその長手方向に搬送される搬送路Ｃ，Ｄを２つ備えている。これらの搬送路Ｃ，Ｄは、帯状平面フィルム７０が上下に対向し、帯状平面フィルム７０をその長手方向に搬送する搬送手段としての搬送ローラ７４を適宜備えている。これら搬送ローラ７４は、帯状平面フィルム７０をそれぞれ間欠的に搬送させている。また、上部搬送路Ｃ及び下部搬送路Ｄは、いずれも上方に向けて凸状となるように、帯状平面フィルム７０を搬送させている。
【００６２】
そして、この製造装置では、これら上部搬送路Ｃ及び下部搬送路Ｄの間に形成された空間に、二つ折り部材７５を形成する二つ折り部材形成装置８０を一つ設けている。二つ折り部材形成装置８０が設けられている位置は、下部搬送路Ｄにおいて、帯状平面フィルム７０が上昇する部分Ｄ１と、その後に水平に搬送される部分Ｄ２との境界部分である。なお、この製造装置も、帯状平面フィルム７０に配置された二つ折り部材７５を帯状平面フィルム７０に対して局部的にシールするポイントシール装置９０を備えている。
【００６３】
二つ折り部材形成装置８０は、帯状平面フィルム７０とは別個の第二帯状フィルム７１がロール状に巻き取られたフィルムロール７２を有し、複数のローラ８２からなる送り出し装置８１がこのフィルムロール７２から第二帯状フィルム７１を下部搬送路Ｄに向けて送り出している。さらに、この二つ折り部材形成装置８０は、第二帯状フィルム７１に対してその幅方向に延びる折り線７６を順次形成する折り線形成ユニット８３と、この折り線形成ユニット８３とフィルムロール７２の間に配置されて、第二帯状フィルム７１を、折り線７６と平行に切断する切断カッター８６とを備えている。
【００６４】
この第二帯状フィルム７１の幅は帯状平面フィルム７０の幅と同寸に形成され、そのフィルムロールが配置される位置は、下部搬送路Ｄを搬送されている帯状平面フィルム７０の幅方向における位置と一致されている。これに伴い、折り線形成ユニット８３についても、帯状平面フィルム７０の幅方向に関して一致する位置に配されている。
【００６５】
折り線形成ユニット８３は、ブロック材８４ａが上下に配され、これらの間に被挿入スリット８４ｂの形成されたガイド部８４、及び被挿入スリット８４ｂに向けて第二帯状フィルム７１を押し込むための押し込み部８５とから構成されている。この折り線形成ユニット８３では、ガイド部８４は、垂下される第二帯状フィルム７１に対して、帯状平面フィルム７０の搬送方向の下流側に配されている一方で、押し込み部８５は、第二帯状フィルム７１に対して帯状平面フィルム７０の搬送方向の上流側に配されている。
【００６６】
また、切断カッター８６は、フィルムロール７２と、折り線形成ユニット８３との間に設けられて、第二帯状フィルム７１を所定の長さに順次切断する。この切断カッター８６も、第二帯状フィルム７１に対して押し込み部と同じ側に設けられたカッター刃８７と、ガイド部８４と同じ側に配された当てブロック８８とから構成されている。
【００６７】
以上の構成を備えた二つ折り部材形成装置８０によれば、図３に示した手順と同様の手順によって二つ折り部材７５が帯状平面フィルム７０に配置される。配置された二つ折り部材７５が、スタンディングパウチ１００の底面部として後に構成される。なお、この実施形態では、帯状平面フィルム７０に配される二つ折り部材７５は、すべて折り線７６を下流側に向けて配される。
【００６８】
下部搬送路Ｄを搬送される帯状平面フィルム７０に二つ折り部材７５が配された後、上部搬送路Ｃを搬送した帯状平面フィルム７０が、下部搬送路Ｄを搬送し、二つ折り部材７５の配置された帯状平面フィルム７０に重ね合わされて、相互にこれらがシールされる。
【００６９】
ここで、この図８に示す製造装置を用いた場合と、図９に示す従来の製法により底面部を形成した場合とを比較すると、次のような差異がある。
【００７０】
図９に示す従来の製法では、平面部となる帯状のフィルム１１０と底面となる帯状のフィルム１１１とがこれらの長手方向に連続して貼り合わされる。このため、長手方向に関してズレδが生じると、相互の貼り合わせが進行するに連れ、このズレδによる寸法誤差が次第に累積される。スタンディングパウチ一つ分についてのズレδにより生ずる寸法誤差は、ごく僅かであったとしても、この寸法誤差が累積されると看過することのできないものとなる。
【００７１】
例えば、平面部として構成される帯状のフィルム１１０と、底面部として構成される帯状フィルム１１１の相互に図柄が印刷され、これらを相互に一致させなければならないとする。両者の長手方向に関するズレδによる寸法誤差が累積されると、両者の図柄が全く一致せず、予定していた品質のスタンディングパウチを得られなくなる。
【００７２】
これに対し、本実施例にかかる製造装置では、二つ折り部材７５は、一つのスタンディングパウチ１００毎に不連続に別個独立に帯状平面フィルム７０に提供される。このため、たとえ一つの二つ折り部材７５について僅かな寸法誤差が存在していたとしても、その寸法誤差は、そのスタンディングパウチ１００限りのものであり、これが累積されることがない。よって、確実に予定の品質を具備したスタンディングパウチ１００を得ることが可能となる。
【００７３】
図１０は、下部搬送路Ｄを搬送した帯状平面フィルム７０、その上面に配された二つ折り部材７５、及び上部搬送路Ｃを搬送した帯状平面フィルム７０が相互にシールされた状態を示している。この図１０に示すように、これらは、帯状平面フィルム７０をその幅方向に５等分するように、ヒートシール部７８が帯状平面フィルム７０の長手方向に延びるようにして形成される。このヒートシール部７８は、後にスタンディングパウチ１００の側縁をなす部分であり、隙間ができないように２枚の帯状平面フィルム７０及び二つ折り部材７５は相互に完全に融着される。
【００７４】
また、各帯状平面フィルム７０と二つ折り部材７５とは、幅方向に連なるよう形成された半円状に切り欠くように形成されるヒートシール部７９により貼り合わされる。このヒートシール部７９では、二つ折り部材７５は、各帯状平面フィルム７０と対向する面がそれぞれと対向している帯状平面フィルム７０とのみヒートシールされる。
【００７５】
帯状平面フィルム７０の長手方向に延びるヒートシール部７８及び半円状の未シール部が設けられるようにヒートシール部７９が形成された後、二つ折り部材７５のヒートシールされた帯状平面フィルム７０は、ラインＬ１の位置で幅方向に分離されるように切断されるとともに、二つ折り部材７５の端縁の前後に位置するラインＬ２及びラインＬ３により長手方向に分離されるように切断され、ラインＬ２とラインＬ３との間の帯状フィルムは廃棄される。切断された個々のピースが、上端の開口されたスタンディングパウチ１００である。
【００７６】
なお、この実施形態では、帯状平面フィルム７０の幅方向に関し、５連となるようにスタンディングパウチを形成しているが、これに限定されるものではない。幅方向に関し、いくつのスタンディングパウチを形成するかは、使用する帯状平面フィルム７０幅や要求される生産量などに応じて適宜決定すればよい。
【００７７】
図１１は、内容物の充填されたスタンディングパウチ１００の斜視図である。この図１１に示すように、完成されたスタンディングパウチ１００は、対向する一対の平面部１０１と、平坦に形成された底面部１０２とから構成されている。平面部１０１は、その形状が縦長の矩形に形成され、その上縁及び側縁が互いにヒートシールされている。一方、底面部１０２は、その周縁が各平面部の下縁と貼り合わされ、およそ楕円状に形成されている。
【００７８】
平面部１０１は上述の帯状平面フィルム７０から構成され、底面部１０２は、二つ折り部材７５から構成されている。スタンディングパウチ１００の両側縁に形成されているシール部１０３は、上述した帯状平面フィルム７０の長手方向に延びるヒートシール部７８から構成されたもので、平面部１０１と底面部１０２とのシール部１０４は、半円状の切り欠きを有するヒートシール部７９により形成されたものである。
【００７９】
かかるスタンディングパウチ１００では、底面部１０２が平坦に形成されると共に、底面部１０２と平面部１０１とのシール部１０４の協働により安定した自立性を確保している。
【００８０】
なお、この実施形態では、スタンダードなスタンディングパウチ１００を例に底面部の製造について説明したが、これには限定されず、図５に示すガゼットタイプのフラットボトムにも適用できる。
【００８１】
以上、帯状平面フィルムに二つ折り部材を載置させ、この二つ折り部材を包装袋の側面部又は底面部として構成する場合を例に説明したが、図１２及び図１３に示すように、フィルム材の両サイドを中心に向けて折り返した三つ折り部材を使用しても良い。
【００８２】
図１２は、長手方向に搬送される帯状平面フィルム１１０の上面に、三つ折り部材１２０が帯状平面フィルム１１０の長手方向の所定間隔毎に配置された状態を示している。三つ折り部材１２０は、幅方向の両サイドがその中心に向けて折り返されて形成されている。この実施形態では、三つ折り部材１２０のもともとの側縁１２２同士の間に、僅かな隙間εが形成されるように両サイドが折り返されている。このように折り畳まれた三つ折り部材１２０は、その折り線１２１が帯状平面フィルム１１０の搬送方向における上流側と下流側とに向けられるように、軸方向を帯状平面フィルム１１０の幅方向に一致される。
【００８３】
図１３は、三つ折り部材１２０をスタンディングパウチの底部として構成する工程を示している。この図１３は、三つ折り部材１２０を一対の帯状平面フィルム１１０で挟み込んだ後に、一対の帯状平面フィルム１１０及び三つ折り部材１２０をヒートシールした状態を示すものである。帯状平面フィルム１１０は、その幅方向が５等分されるように、幅方向の中間部分の４ヶ所にヒートシール部１１１が、帯状平面フィルム１１０の長手方向に延びるように形成される。また、帯状平面フィルム１１０の両側縁がヒートシール部１１２により、相互に密閉される。
【００８４】
一方、三つ折り部材１２０の配置された位置では、ヒートシール部１１１及びヒートシール部１１２の間の部分に、半円状の未シール部が設けられるようにヒートシール部１１３が形成される。このヒートシール部１１３は、帯状平面フィルム１１０の長手方向に関して対が形成されるように、三つ折り部材１２０の折り返された双方の部分がヒートシールされる。
【００８５】
その後、帯状平面フィルム１１０及び三つ折り部材１２０は、ヒートシール部１１１の位置で幅方向に５等分されるように切断されると共に、三つ折り部材のもともとの側縁１２２の間の位置で隙間を空けて、長手方向に分離されるようにして切断される。
【００８６】
なお、当該三つ折り部材をガゼット袋の側面部として構成するように包装袋を製造しても良い。
【図面の簡単な説明】
【００８７】
【図１】本発明の包装袋の製造装置の全体構成を示す構造図。
【図２】図１に示す包装袋の製造装置を構成する折り線形成ユニットを示す斜視図。
【図３】折り線形成ユニット及び切断カッターを利用して二つ折り部材を形成する手順を示す図。
【図４】二つ折り部材を帯状平面フィルムに配置する手順を示す図。
【図５】本発明の包装袋の製造装置及び製造方法で製造される包装袋の一例であるフラットボトムタイプのガゼット袋の斜視図。
【図６】他の製造例であるバッグインボックス用の内袋の斜視図。
【図７】他の製造例であるスパウト付きパウチの斜視図。
【図８】図１の包装袋の製造装置とは別の実施形態にかかる製造装置の構造図。
【図９】従来の製法の一例を示す説明図。
【図１０】帯状平面フィルムと二つ折り部材とが相互にヒートシールされた状態を示す平面図。
【図１１】完成されたスタンディングパウチの斜視図。
【図１２】三つ折り部材を帯状平面フィルムに載置してスタンディングパウチを製造する一態様を示す、三つ折り部材が載置された帯状平面フィルムの斜視図。
【図１３】スタンディングパウチの底部を対向させて製造する工程を示す図。
【符号の説明】
【００８８】
１，７０        帯状平面フィルム
２，７１        第二帯状フィルム
３，７２        フィルムロール
５，７５        二つ折り部材
６，７６        折り線
２０，８０      二つ折り部材形成装置
２３，８３      折り線形成ユニット
２４，８４      ガイド部
２４ｂ，８４ｂ  被挿入スリット
２５，８５      押し込み部
２５ａ          押し込みプレート
２６，８６      切断カッター
３０，９０      ポイントシール装置
Ａ，Ｂ，Ｃ，Ｄ  搬送路
１１０          帯状平面フィルム
１２０          三つ折り部材
【図１】
2005271462.tif 000003
【図２】
2005271462.tif 000004
【図３】
2005271462.tif 000005
【図４】
2005271462.tif 000006
【図５】
2005271462.tif 000007
【図６】
2005271462.tif 000008
【図７】
2005271462.tif 000009
【図８】
2005271462.tif 000010
【図９】
2005271462.tif 000011
【図１０】
2005271462.tif 000012
【図１１】
2005271462.tif 000013
【図１２】
2005271462.tif 000014
【図１３】
2005271462.tif 000015